(57)【要約】【課題】集熱効率を更に向上することが可能な太陽熱集熱システムを提供する。【解決手段】第１ポンプが熱媒体を昇圧し、集熱器がその昇圧された熱媒体をトラフ型の反射鏡によって集熱された太陽熱で加熱する。第１減圧弁が、その加熱された熱媒体を減圧し、第２ポンプが、その減圧された熱媒体を昇圧させて加熱器に流入させる。第２減圧弁は、その昇圧された熱媒体と被加熱流体との熱交換が加熱器で行なわれる事により冷却された熱媒体を減圧する。減圧された熱媒体は第１ポンプに流入し循環する。回転台は、第１ポンプ、集熱器、および、第１減圧弁が据え付けられている。反射鏡は、太陽の高度に対して追従するように回転駆動する。回転台は、反射鏡が太陽の方角に追従するように、回転駆動する。熱媒体が流れる熱媒体配管において、回転台に搭載された熱媒体配管と、回転台に搭載されない他の熱媒体配管との取り合い位置は、回転台の回転軸付近にある。【選択図】図１
2015036598.tif 000002
【特許請求の範囲】
【請求項１】
熱媒体を昇圧する第１ポンプと、
前記第１ポンプによって昇圧された熱媒体を、トラフ型の反射鏡によって集熱された太陽熱で加熱する集熱器と、
前記集熱器において加熱された熱媒体を、大気圧に近い圧力になるように減圧する第１減圧弁と、
前記第１減圧弁によって減圧された熱媒体を昇圧させて加熱器に流入させる第２ポンプと、
前記加熱器において被加熱流体と前記第２ポンプで昇圧された熱媒体との熱交換が行なわれる事により冷却された熱媒体を、大気圧に近い圧力になるように減圧し、当該減圧された熱媒体が前記第１ポンプに流入するように配置された第２減圧弁と、
前記第１ポンプ、前記集熱器、および、前記第１減圧弁が据え付けられた回転台と
を備え、
前記集熱器において、前記反射鏡は、太陽の高度に対して追従するように回転駆動し、
前記回転台は、前記反射鏡が太陽の方角に追従するように、回転駆動し、
前記熱媒体が流れる熱媒体配管において、前記回転台に搭載された熱媒体配管と、前記回転台に搭載されない他の熱媒体配管との取り合い位置は、前記回転台の回転軸付近にあることを特徴とする、
太陽熱集熱システム。
【請求項２】
熱媒体を昇圧する第１ポンプと、
前記第１ポンプによって昇圧された熱媒体を、トラフ型の反射鏡によって集熱された太陽熱で加熱する集熱器と、
前記集熱器において加熱された熱媒体を、大気圧に近い圧力になるように減圧する第１減圧弁と、
前記第１減圧弁によって減圧された熱媒体を昇圧させて加熱器に流入させる第２ポンプと、
前記加熱器において被加熱流体と前記第２ポンプで昇圧された熱媒体との熱交換が行なわれる事により冷却された熱媒体を、大気圧に近い圧力になるように減圧し、当該減圧された熱媒体が前記第１ポンプに流入するように配置された第２減圧弁と、
前記第１ポンプ、前記集熱器、および、前記第１減圧弁が据え付けられた傾斜台と
を備え、
前記集熱器において、前記反射鏡は、太陽の方角に追従するように回転駆動し、
前記傾斜台は、前記反射鏡が太陽の高度に追従するように、回転駆動して傾斜し、
前記熱媒体が流れる熱媒体配管において、前記傾斜台に搭載された熱媒体配管と、前記傾斜台に搭載されない熱媒体配管との取り合い位置が、前記傾斜台の回転軸付近にあることを特徴とする、
太陽熱集熱システム。
【請求項３】
前記熱媒体が流れる熱媒体配管のうち、前記取り合い位置よりも前記加熱器に近い熱媒体配管は、前記回転台または前記傾斜台の回転軸付近において、前記熱媒体の流れ方向が垂直になるように配置された配管を含むことを特徴とする、
請求項１または２に記載の太陽熱集熱システム。
【請求項４】
前記熱媒体が流れる熱媒体配管のうち、前記取り合い位置よりも前記加熱器に近い熱媒体配管は、位置の拘束がない屈曲部を２箇所以上備える配管を含むことを特徴とする、
請求項１または２に記載の太陽熱集熱システム。
【請求項５】
前記熱媒体が流れる熱媒体配管のうち、前記取り合い位置よりも前記加熱器に近い熱媒体配管は、蛇腹管を含むことを特徴とする、
請求項１または２に記載の太陽熱集熱システム。
【請求項６】
前記熱媒体が流れる熱媒体配管のうち、前記取り合い位置よりも前記加熱器に近い熱媒体配管は、フレキシブルな配管を含むことを特徴とする、
請求項１または２に記載の太陽熱集熱システム。
【発明の詳細な説明】
【技術分野】
【０００１】
本発明の実施形態は、太陽熱集熱システムに関する。
【背景技術】
【０００２】
トラフ形状（雨樋形状）の反射鏡を用いて太陽熱を集熱する太陽熱集熱システムが、知られている（例えば、特許文献１参照）。
【０００３】
図５は、従来技術に係る太陽熱集熱システムの概要を示す図である。
【０００４】
図５に示すように、太陽熱集熱システムにおいては、集熱器１が太陽熱を集熱し、その集熱された熱によって加熱された熱媒体Ｍ１が、熱媒体ポンプＰ１１に流入する。そして、熱媒体ポンプＰ１１において昇圧された熱媒体Ｍ１１が、加熱器２に流入する。熱媒体Ｍ１は、例えば、油である。
【０００５】
加熱器２においては、熱媒体Ｍ１１の他に、被加熱流体Ｆ１が流入する。そして、加熱器２では、その流入した熱媒体Ｍ１１と被加熱流体Ｆ１との間の熱交換が行なわれる。
【０００６】
加熱器２に流入する熱媒体Ｍ１１は、加熱器２での熱交換によって冷却され、その後、加熱器２から流出する。加熱器２から流出した熱媒体Ｍ２は、集熱器１へ流入する。このように熱媒体Ｍ１，Ｍ１１，Ｍ２は、集熱器１と熱媒体ポンプＰ１１と加熱器２とを順次流れ、各部を循環する。この一方で、加熱器２に流入する被加熱流体Ｆ１は、加熱器２での熱交換によって加熱され、その後、加熱器２から流出する。加熱器２から流出した被加熱流体Ｆ２は、例えば、太陽熱発電システムの蒸気タービン（図示省略）に作動流体として流入し、蒸気タービンを駆動させる。
【０００７】
図６は、従来技術に係る太陽熱集熱システムにおいて、集熱器を示す図である。
【０００８】
太陽熱集熱システムのうち、集熱器１は、図６に示すように、反射鏡１１と、集熱管１２とを備えており、大地に設置されている。
【０００９】
集熱器１において、反射鏡１１は、図６に示すように、トラフ形状の曲面鏡であって、長手方向に垂直な断面が放物線形状である。反射鏡１１は、長手方向が水平方向に沿っており、例えば、長手方向が東西や南北になるように設置されている。反射鏡１１は、入射した太陽光線Ｌを反射面で反射して焦点に集光させることによって、太陽熱を集熱する。
【００１０】
集熱器１において、集熱管１２は、反射鏡１１の長手方向に対して平行に延在するように設置されている。集熱管１２は、反射鏡１１の焦点に位置している。集熱管１２のうち、反射鏡１１によって太陽光線Ｌが集光される部分のみは、保温材で覆われておらず、熱媒体Ｍ２が流れる配管が、透明なガラス管の中に設置される構成になっている。熱媒体Ｍ２が流れる管とガラス管との間は真空が望ましいが空気である物もある。集熱管１２は、加熱器２から流出した熱媒体Ｍ２が内部に流入し、反射鏡１１が太陽光線Ｌを集光することによって集熱された太陽熱で加熱される。
【００１１】
太陽熱集熱システムでは、集熱器１は、反射鏡１１が焦点を回転中心軸として回転移動するように支持されており、太陽の高度に合わせて反射鏡１１の反射面が太陽に追尾するように構成されている。ここでは、反射鏡１１において反射面である放物面の断面である放物線の頂点と焦点とを結んだ放物線軸に対して太陽光線Ｌが長手方向から見て平行になるように、反射鏡１１が太陽の高度に応じて回転移動する。
【先行技術文献】
【特許文献】
【００１２】
【特許文献１】特開２０１２−１２７６０７号公報
【発明の概要】
【発明が解決しようとする課題】
【００１３】
上記のように、太陽熱集熱システムでは、集熱効率を高めるために、反射鏡を太陽の高度に追従させている。
【００１４】
しかし、上記の太陽熱集熱システムでは、太陽の方角には、反射鏡を追従させることができない。すなわち、上記の太陽熱集熱システムでは、太陽が移動する際に、上下方向において位置する太陽に反射鏡１１の向きを追従させているが、東西方向において位置する太陽に対して反射鏡１１の向きを追従させることができない。
【００１５】
上記の太陽熱集熱システムにおいて、仮に反射鏡１１を太陽の方角にも追従させて移動させる場合には、集熱管１２についても同時に太陽の方角に追従させて移動させなければならない。このため、上記の太陽熱集熱システムでは、集熱管１２の前後に接続される熱媒体配管が大きく変形することになる。
【００１６】
また、集熱管１２での圧力損失が充分に大きい上、熱媒体ポンプＰ１１で昇圧された熱媒体ＭＰ１が、集熱管１２の内部において不必要に沸騰することを防止したい。このため、集熱管１２の内部にある熱媒体ＭＰ１の圧力を高める必要があるので、薄肉の配管、および、樹脂製の柔軟性のある配管を使用することができない。この他に、上記の太陽熱集熱システムにおいて、駆動可能な接続部品を使用すると、外部への漏れを防止するのは困難である。
【００１７】
上記のような事情により、上記の太陽熱集熱システムでは、太陽の方角に反射鏡を追従させることができない。その結果、集熱効率を更に高めることが容易でない。
【００１８】
したがって、本発明が解決しようとする課題は、集熱効率を更に向上することが可能な太陽熱集熱システムを提供することである。
【課題を解決するための手段】
【００１９】
実施形態の太陽熱集熱システムは、第１ポンプと、集熱器と、第１減圧弁と、第２ポンプと、第２減圧弁と、回転台とを備える。第１ポンプは、熱媒体を昇圧する。集熱器は、第１ポンプによって昇圧された熱媒体を、トラフ型の反射鏡によって集熱された太陽熱で加熱する。第１減圧弁は、集熱器において加熱された熱媒体を、大気圧に近い圧力になるように減圧する。第２ポンプは、第１減圧弁によって減圧された熱媒体を昇圧させて加熱器に流入させる。第２減圧弁は、加熱器において被加熱流体と第２ポンプで昇圧された熱媒体との熱交換が行なわれる事により冷却された熱媒体を、大気圧に近い圧力になるように減圧する。その減圧された熱媒体は、第１ポンプに流入する。回転台は、第１ポンプ、集熱器、および、第１減圧弁が据え付けられている。ここでは、集熱器において、反射鏡は、太陽の高度に対して追従するように回転駆動する。回転台は、反射鏡が太陽の方角に追従するように、回転駆動する。熱媒体が流れる熱媒体配管において、回転台に搭載された熱媒体配管と、回転台に搭載されない他の熱媒体配管との取り合い位置は、回転台の回転軸付近にある。
【図面の簡単な説明】
【００２０】
【図１】図１は、第１実施形態に係る太陽熱集熱システムを模式的に示す図である。
【図２】図２は、第２実施形態に係る太陽熱集熱システムにおいて、熱媒体が流れる熱媒体配管の一部を示す図である。
【図３】図３は、第３実施形態に係る太陽熱集熱システムにおいて、熱媒体が流れる熱媒体配管の一部を示す図である。
【図４】図４は、第４実施形態に係る太陽熱集熱システムを模式的に示す図である。
【図５】図５は、従来技術に係る太陽熱集熱システムの概要を示す図である。
【図６】図６は、従来技術に係る太陽熱集熱システムにおいて、集熱器を示す図である。
【発明を実施するための形態】
【００２１】
実施形態について、図面を参照して説明する。
【００２２】
＜第１実施形態＞
［Ａ］太陽熱集熱システムの全体構成
図１は、第１実施形態に係る太陽熱集熱システムを模式的に示す図である。
【００２３】
本実施形態の太陽熱集熱システムは、図１に示すように、集熱器１と、回転台１０と、第１ポンプＰ１と、第２ポンプＰ２と、第１減圧弁Ｖ１と、第２減圧弁Ｖ２とを備えている。
【００２４】
太陽熱集熱システムを構成する各部のうち、集熱器１、第１ポンプＰ１、および、第１減圧弁Ｖ１は、回転台１０の上面に据え付けられている。これに対して、第２ポンプＰ２、および、第２減圧弁Ｖ２は、加熱器２と同様に、大地に据え付けられている。
【００２５】
なお、図１では、集熱器１が単数である場合について示しているが、複数である場合が通常である。集熱器１が複数である場合は、熱媒体の流路に沿って複数の集熱器１を直列あるいは並列に連結させる。
【００２６】
［Ｂ］太陽熱集熱システムを流れる流体
太陽熱集熱システムにおいては、第１ポンプＰ１によって昇圧された熱媒体ＭＰ１（第１高圧熱媒体）が、集熱器１に流入し、集熱器１において集熱された太陽熱によって加熱される。集熱器１で加熱された熱媒体Ｍ１は、第１減圧弁Ｖ１に流入し、第１減圧弁Ｖ１において大気圧に近づくように減圧される。
【００２７】
第１減圧弁Ｖ１で圧力が大気圧の近くに低下した熱媒体ＭＶ１（第１低圧熱媒体）は、第２ポンプＰ２に流入し、第２ポンプＰ２において昇圧される。
【００２８】
第２ポンプＰ２で圧力が上昇した熱媒体ＭＰ２（第２高圧熱媒体）は、加熱器２に流入する。加熱器２は、内部の圧力損失が充分に大きいため、熱媒体ＭＶ１（第１低圧熱媒体）の圧力が第２ポンプＰ２によって大気圧付近から昇圧されなければ、加熱器２に搬送できない。
【００２９】
加熱器２には、熱媒体ＭＰ２（第２高圧熱媒体）の他に、被加熱流体Ｆ１が流入する。そして、加熱器２では、熱媒体ＭＰ２と被加熱流体Ｆ１との熱交換が行なわれる。
【００３０】
加熱器２での熱交換により冷却された熱媒体Ｍ２は、第２減圧弁Ｖ２に流入し、第２減圧弁Ｖ２において大気圧に近づくように減圧される。
【００３１】
そして、第２減圧弁Ｖ２で圧力が大気圧の近くに低下した熱媒体ＭＶ２（第２低圧熱媒体）は、第１ポンプＰ１に流入し、上述したように、第１ポンプＰ１において圧力が上げられる。このように熱媒体ＭＰ１，Ｍ１，ＭＶ１，ＭＰ２，Ｍ２，ＭＶ２は、第１ポンプＰ１と、集熱器１と、第１減圧弁Ｖ１と、第２ポンプＰ２と、第２減圧弁Ｖ２とを、順次、流れて、各部を循環する。
【００３２】
この一方で、加熱器２での熱交換により加熱された被加熱流体Ｆ２は、例えば、太陽熱発電システムの蒸気タービン（図示省略）に作動流体として流入する。
【００３３】
なお、上記において、熱媒体ＭＰ１，Ｍ１，ＭＶ１，ＭＰ２，Ｍ２，ＭＶ２としては、例えば、大気圧での沸点が３５０℃以上の熱媒油が使用される。また、第１減圧弁Ｖ１によって圧力が低下した熱媒体ＭＶ１は、その低下した圧力における沸点以上の温度になって沸騰することが基本的にはない。熱媒体ＭＶ１の物質によっては、沸騰することもあり得るが、沸騰して気化しても支障はない。
【００３４】
［Ｃ］太陽熱集熱システムの詳細構成など
［Ｃ−１］集熱器１
太陽熱集熱システムにおいて、集熱器１は、図１に示すように、反射鏡１１と集熱管１２とを備えている。
【００３５】
集熱器１のうち、反射鏡１１は、図１に示すように、パラボリック・トラフ形状の曲面鏡であって、長手方向に垂直な断面が放物線形状である。反射鏡１１は、長手方向が水平方向に沿うように設置されている（図６参照）。反射鏡１１は、入射した太陽光線Ｌを反射面で反射して焦点に集光させることによって、太陽熱を集熱する。
【００３６】
集熱器１のうち、集熱管１２は、反射鏡１１の長手方向に対して平行に延在するように設置されている（図６参照）。集熱管１２は、反射鏡１１の焦点に位置しており、反射鏡１１によって太陽光線Ｌが集光される部分のみが、例えば、透明なガラス管の中に設置される構成になっている。熱媒体ＭＰ１が流れる管とガラス管の間は、真空が望ましい。集熱管１２においては、第１ポンプＰ１で昇圧された熱媒体ＭＰ１が、内部に流入し、反射鏡１１によって集熱された太陽熱で加熱される。
【００３７】
集熱器１は、上記の他に、太陽追尾機構（図示省略）を含み、その太陽追尾機構（図示省略）が、太陽の高度に合わせて反射鏡１１の反射面を太陽に追尾させる。
【００３８】
具体的には、集熱器１においては、反射鏡１１が焦点を回転軸として回転移動するように支持されており、駆動装置を含む太陽追尾機構（図示省略）が、反射鏡１１を回転方向Ｒ１に回転移動させる。ここでは、反射鏡１１において反射面である放物面の断面である放物線の頂点と焦点とを結んだ放物線軸に対して、太陽光線が長手方向から見た時に平行になるように、反射鏡１１が太陽の高度に応じて回転移動する。すなわち、集熱器１においては、上下方向において位置する太陽に、反射鏡１１の向きが追従する。
【００３９】
［Ｃ−２］回転台１０
太陽熱集熱システムにおいて、回転台１０は、例えば、大地において回転するように設置されている。回転台１０は、例えば、半円状の板状体であって、上面には、集熱器１、第１ポンプＰ１、および、第１減圧弁Ｖ１が設置されている。
【００４０】
回転台１０は、太陽の方角に合わせて反射鏡１１の反射面が太陽に追尾するように、回転する。
【００４１】
具体的には、回転台１０が鉛直方向を回転軸ＡＸとして回転移動するように支持されており、駆動装置を含む太陽追尾機構（図示省略）が、回転台１０を回転方向Ｒ２に回転移動させる。ここでは、反射鏡１１において反射面である放物面の断面である放物線の頂点と焦点とを結んだ放物線軸に対して、太陽光線が長手方向と垂直な方向から見た時に平行になるように、回転台１０が太陽の方角に応じて回転移動する。つまり、東西方向において位置する太陽に対して反射鏡１１の向きが追従するように、回転台１０が回転する。
【００４２】
上述したように、回転台１０には、集熱器１の他に、第１ポンプＰ１と第１減圧弁Ｖ１とが設置されているので、回転台１０が回転した場合には、集熱器１と共に、第１ポンプＰ１および第１減圧弁Ｖ１が回転移動する。
【００４３】
［Ｃ−３］熱媒体配管について
太陽熱集熱システムにおいて、熱媒体ＭＰ１，Ｍ１，ＭＶ１，ＭＰ２，Ｍ２，ＭＶ２が流れる熱媒体配管のうち、回転台１０に搭載された熱媒体配管と、回転台１０に搭載されない他の熱媒体配管との両者は、互いの取り合い位置Ｘ１，Ｘ２が、回転台１０の回転軸ＡＸの付近にある。「取り合い位置Ｘ１，Ｘ２」とは、内部流体に関して上流側の配管と下流側の配管とが、溶接やねじ込みによってつながれたときの「つなぎ目の位置」をいう。
【００４４】
具体的には、第１減圧弁Ｖ１で減圧された熱媒体ＭＶ１（第１低圧熱媒体）が第２ポンプＰ２へ流通する熱媒体流路は、複数の熱媒体配管を連結させることで構成されており、その複数の熱媒体配管の取り合い位置Ｘ１が、回転台１０の回転軸ＡＸの付近にある。例えば、第１減圧弁Ｖ１から取り合い位置Ｘ１までの間において熱媒体ＭＶ１ａが流れる熱媒体配管と、取り合い位置Ｘ１から第２ポンプＰ２までの間において熱媒体ＭＶ１ｂが流れる熱媒体配管とを含み、前者は、回転台１０に支持され、後者は、例えば、大地に支持されている。そして、両者は、回転台１０の回転軸ＡＸの付近に位置する取り合い位置Ｘ１において連結されている。
【００４５】
また、第２減圧弁Ｖ２で減圧された熱媒体ＭＶ２（第２低圧熱媒体）が第１ポンプＰ１へ流通する熱媒体流路は、複数の熱媒体配管を連結させることで構成されており、その複数の熱媒体配管の取り合い位置Ｘ２が、回転台１０の回転軸ＡＸの付近にある。例えば、第２減圧弁Ｖ２から取り合い位置Ｘ２までの間において熱媒体ＭＶ２ａが流れる熱媒体配管と、取り合い位置Ｘ２から第１ポンプＰ１までの間において熱媒体ＭＶ２ｂが流れる熱媒体配管とを含み、後者は、回転台１０に支持され、前者は、例えば、大地に支持されている。そして、両者は、回転台１０の回転軸ＡＸの付近に位置する取り合い位置Ｘ２において連結されている。
【００４６】
本実施形態では、第１減圧弁Ｖ１で減圧された熱媒体ＭＶ１（第１低圧熱媒体）が流れる熱媒体配管のうち、取り合い位置Ｘ１よりも加熱器２に近い部分は、回転台１０が回転したとき、変形することになる。これと共に、第２減圧弁Ｖ１で減圧された熱媒体ＭＶ２（第２低圧熱媒体）が流れる熱媒体配管のうち、取り合い位置Ｘ１よりも加熱器２に近い部分は、回転台１０が回転したとき、変形することになる。つまり、一方の取り合い位置Ｘ１から熱媒体ＭＶ１ｂが第２ポンプＰ２へ流れる部分と、第２減圧弁Ｖ２から熱媒体ＭＶ２ａが他方の取り合い位置Ｘ２へ流れる部分との両者が、回転台１０の回転により変形して、破壊されると、漏れが生ずる。しかし、本実施形態では、取り合い位置Ｘ１，Ｘ２が、回転軸ＡＸの付近にあるため、その変形量を充分に低減することができる。
【００４７】
上記の他に、熱媒体ＭＰ１，Ｍ１，ＭＶ１，ＭＰ２，Ｍ２，ＭＶ２が流れる熱媒体配管のうち、上述した取り合い位置Ｘ１，Ｘ２よりも加熱器２に近い側に位置する熱媒体配管は、回転台１０の回転軸ＡＸの付近において、熱媒体ＭＶ１ｂ，ＭＶ２ａの流れ方向が垂直（鉛直）になるように配置された長尺な配管を含む。
【００４８】
一方の取り合い位置Ｘ１よりも加熱器２に近い側に位置する熱媒体配管は、第１減圧弁Ｖ１によって大気圧に近くなるように減圧された熱媒体ＭＶ１ｂ（第１低圧熱媒体）が流れる。また、他方の取り合い位置Ｘ２よりも加熱器２に近い側に位置する熱媒体配管は、第２減圧弁Ｖ２によって大気圧に近くなるように減圧された熱媒体ＭＶ２ａ（第２低圧熱媒体）が流れる。このため、これらの部分の熱媒体配管は、内部の圧力と外部の大気圧との差が、他の部分の熱媒体配管よりも小さい。その結果、配管の肉厚を薄くすることができるので、ねじりや曲げを吸収することができる。
【００４９】
なお、上記では、回転軸ＡＸの付近において２本の熱媒体配管が屈曲しており、その屈曲した部分の近傍に、取り合い位置Ｘ１，Ｘ２がある場合について説明したが、図１のように、屈曲部よりも加熱器２に近い部分に取り合い位置Ｘ１，Ｘ２を設けても、そうではなく、屈曲部より遠い側に取り合い位置Ｘ１，Ｘ２を設けてもよい。
【００５０】
また、本実施形態において、回転台１０の回転軸ＡＸの「付近」とは、例えば、回転台１０において熱媒体配管等が設置された面上のうち、回転軸ＡＸの側に位置する内側領域（中心から半分までの間の領域）を意味する。
【００５１】
上記の熱媒体配管は、例えば、金属材料で形成されている。ただし、上記の熱媒体配管のうち、第１減圧弁Ｖ１で減圧された熱媒体ＭＶ１（第１低圧熱媒体）が流れる熱媒体配管と、第２減圧弁Ｖ２で減圧された熱媒体ＭＶ２（第２低圧熱媒体）が流れる熱媒体配管とについては、その熱媒体ＭＶ１，ＭＶ２の温度に対して耐熱性がある樹脂を用いて形成してもよい。樹脂を用いる事で、配管のねじりや曲げを充分に受け入れる事ができる。
【００５２】
［Ｄ］まとめ
以上のように、本実施形態では、第１ポンプＰ１、集熱器１、および、第１減圧弁Ｖ１が回転台１０に据え付けられている。ここでは、集熱器１は、反射鏡１１が太陽の高度に対して追尾するように回転駆動する。そして、回転台１０は、反射鏡１１が太陽の方角に追従するように回転駆動する。本実施形態では、回転台１０に集熱器１の全体が設置されているので、集熱器１を構成する反射鏡１１と集熱管１２との両者が、太陽の方角に追従して移動する。このため、回転台１０が回転したときであっても、集熱管１２に接続される熱媒体配管が大きく変形することを防止することができる。
【００５３】
また、本実施形態では、熱媒体ＭＰ１，Ｍ１，ＭＶ１，ＭＰ２，Ｍ２，ＭＶ２が流れる熱媒体配管において、回転台１０に搭載された熱媒体配管と、回転台１０に搭載されない他の熱媒体配管との取り合い位置Ｘ１，Ｘ２は、回転台１０の回転軸ＡＸの付近にある。このため、本実施形態では、回転台１０が回転したときであっても、破壊を防止し、漏れが発生することを好適に防止することができる。
【００５４】
したがって、本実施形態では、太陽の高度以外に、太陽の方角にも反射鏡１１を追従させることができるので、夜間を除く他の時間において、常時、高い集熱効率を実現することができる。
【００５５】
さらに、本実施形態において、取り合い位置Ｘ１，Ｘ２よりも加熱器２に近い側に位置する熱媒体配管には、第１減圧弁Ｖ１または第２減圧弁Ｖ２で大気圧に近づくように減圧された熱媒体ＭＶ１ｂ，ＭＶ２ａ（第１低圧熱媒体，第２低圧熱媒体）が流れる。このため、上述したように、これらの部分の熱媒体配管の肉厚を薄くしたり樹脂製にすることができるので、ねじりや曲げを吸収することができる。その結果、漏れが生ずることを更に好適に防止することができる。
【００５６】
なお、本実施形態において、回転台１０の駆動は、電動であることが多く、ポンプの個数は、従来技術と比較して増えている。このため、本実施形態の太陽熱集熱システムは、全体の消費電力が、従来技術より増加する。しかし、太陽熱集熱システムで加熱した被加熱流体Ｆ２を、例えば、発電に活用した場合には、集熱効率が高くなることによって増加した発電量の方が、その増加した消費電力量よりも大きくなる。
【００５７】
［Ｅ］変形例
本実施形態では、上記のように、２つの取り合い位置Ｘ１，Ｘ２が、回転台１０の回転軸ＡＸを挟んで並んでいるが、これに限らない。例えば、２つの取り合い位置Ｘ１，Ｘ２のうち、一方の取り合い位置を回転台１０の回転軸ＡＸ上に設け、他方の取り合い位置をその一方の取り合い位置に隣接するように設けてもよい。
【００５８】
この他に、本実施形態では、図１に示したように、熱媒体ＭＶ１，ＭＶ２が流れる熱媒体配管のうち、集熱器１等が設置された面に垂直な方向へ延在する部分（垂直部分）に、取り合い位置Ｘ１，Ｘ２を設けているが、これに限らない。熱媒体ＭＶ１，ＭＶ２が流れる熱媒体配管のうち、集熱器１等が設置された面に沿って延在する部分（水平部分）に、取り合い位置Ｘ１，Ｘ２に設けてもよい。
【００５９】
＜第２実施形態＞
［Ａ］構成等
図２は、第２実施形態に係る太陽熱集熱システムにおいて、熱媒体が流れる熱媒体配管の一部を示す図である。
【００６０】
図２に示すように、本実施形態の太陽熱集熱システムは、熱媒体配管のうち一部の構造が、第１実施形態の場合と異なる。本実施形態は、この点、および、これに関連する点を除き、第１実施形態の場合と同様である。このため、本実施形態において、上記の実施形態と重複する個所については、適宜、説明を省略する。
【００６１】
本実施形態では、熱媒体ＭＰ１，Ｍ１，ＭＶ１，ＭＰ２，Ｍ２，ＭＶ２が流れる熱媒体配管（図１参照）の一部が、図２に示すように、位置の拘束がない屈曲部Ｃ１，Ｃ２を、複数、備える。
【００６２】
具体的には、位置が拘束されていない複数の屈曲部Ｃ１，Ｃ２を備える配管Ｔ２（図２参照）は、回転台１０の回転軸ＡＸの付近に位置する取り合い位置Ｘ１，Ｘ２よりも加熱器２に近い熱媒体配管（図１参照）に用いられている。すなわち、第１減圧弁Ｖ１を流出した後に取り合い位置Ｘ１から第２ポンプＰ２までの間を熱媒体ＭＶ１ｂ（第１低圧熱媒体）が流れる熱媒体配管（図１参照）に用いられている。この他に、第２減圧弁Ｖ２から取り合い位置Ｘ２までの間を熱媒体ＭＶ２ａ（第２低圧熱媒体）が流れる熱媒体配管（図１参照）に用いられている。
【００６３】
ここでは、上記の配管Ｔ２において、屈曲部Ｃ１，Ｃ２は、例えば、２つ、設けられている。図示を省略しているが、配管Ｔ２は、例えば、大地に支持されて固定された固定部（図示省略）を有しており、その固定部（図示省略）と取り合い位置Ｘ１またはＸ２の間に、２つの屈曲部Ｃ１，Ｃ２が設けられている。
【００６４】
［Ｂ］まとめ
以上のように、本実施形態においては、取り合い位置Ｘ１，Ｘ２よりも加熱器２に近い側に位置する熱媒体配管は、大気圧に近い圧力に減圧された熱媒体ＭＶ１ｂ，ＭＶ２ａ（第１低圧熱媒体，第２低圧熱媒体）が流れるので他よりも肉厚を薄くすることができると共に、位置の拘束がない屈曲部Ｃ１，Ｃ２を複数備えた配管Ｔ２を含む。
【００６５】
配管Ｔ２において、２つの屈曲部Ｃ１，Ｃ２は、位置の拘束がないため、回転台１０（図１参照）が回転したとき、移動可能であり、屈曲角度の増減が可能である。
【００６６】
このため、本実施形態では、回転台１０（図１参照）が回転したときに、ねじりや曲げを吸収することができる。その結果、漏れが生ずることを更に好適に防止することができる。
【００６７】
したがって、本実施形態では、太陽の高度以外に、太陽の方角にも反射鏡１１（図１参照）を追従させることができるので、夜間を除く他の時間において、常時、高い集熱効率を実現することができる。
【００６８】
なお、第１実施形態（図１参照）では、取り合い位置Ｘ１，Ｘ２よりも加熱器２に近い側に位置する熱媒体配管は、回転軸ＡＸの付近にて垂直（鉛直方向）に延びているが、本実施形態では、そのようにする必要はない。
【００６９】
また、上記のように、熱媒体ＭＶ１ｂ，ＭＶ２ａ（第１低圧熱媒体，第２低圧熱媒体）が流れる熱媒体配管については、その熱媒体ＭＶ１ｂ，ＭＶ２ａの温度に対して耐熱性がある樹脂を用いて形成されたものであってもよい。
【００７０】
［Ｃ］変形例
本実施形態では、上記のように、位置の拘束がない屈曲部Ｃ１，Ｃ２が、２つである場合について説明したが、これに限らない。位置の拘束がない屈曲部が３つ以上であってもよい。
【００７１】
＜第３実施形態＞
［Ａ］構成等
図３は、第３実施形態に係る太陽熱集熱システムにおいて、熱媒体が流れる熱媒体配管の一部を示す図である。
【００７２】
図３に示すように、本実施形態の太陽熱集熱システムは、熱媒体配管のうち一部の構造が、第１実施形態の場合と異なる。本実施形態は、この点、および、これに関連する点を除き、第１実施形態の場合と同様である。このため、本実施形態において、上記の実施形態と重複する個所については、適宜、説明を省略する。
【００７３】
本実施形態では、熱媒体ＭＰ１，Ｍ１，ＭＶ１，ＭＰ２，Ｍ２，ＭＶ２が流れる熱媒体配管（図１参照）の一部が、図３に示すように、蛇腹管Ｔ３を含む。
【００７４】
具体的には、蛇腹管Ｔ３（図３参照）は、回転台１０の回転軸ＡＸの付近に位置する取り合い位置Ｘ１，Ｘ２よりも加熱器２に近い熱媒体配管（図１参照）に用いられている。すなわち、第１減圧弁Ｖ１を流出した後に取り合い位置Ｘ１から第２ポンプＰ２までの間を熱媒体ＭＶ１ｂ（第１低圧熱媒体）が流れる熱媒体配管（図１参照）に用いられている。この他に、第２減圧弁Ｖ２から取り合い位置Ｘ２までの間を熱媒体ＭＶ２ａ（第２低圧熱媒体）が流れる熱媒体配管（図１参照）に用いられている。
【００７５】
取り合い位置Ｘ１，Ｘ２よりも加熱器２に近い熱媒体配管（図１参照）においては、大気圧に近い熱媒体ＭＶ１ｂ，ＭＶ２ａ（第１低圧熱媒体，第２低圧熱媒体）が流れるので、内部と外部（大気圧）との圧力差が他よりも小さい。このため、配管の肉厚を薄くすることができるので、この部分に蛇腹管Ｔ３を用いることができる。
【００７６】
［Ｂ］まとめ
以上のように、本実施形態においては、取り合い位置Ｘ１，Ｘ２よりも加熱器２に近い側に位置する熱媒体配管は、蛇腹管Ｔ３を含む。
【００７７】
蛇腹管Ｔ３は、蛇腹構造を有する伸縮管であり、伸縮が可能であって柔軟に曲がる。このため、回転台１０（図１参照）が回転したとき、ねじりや曲げを吸収することができる。その結果、本実施形態では、漏れが生ずることを更に好適に防止することができる。
【００７８】
したがって、本実施形態では、太陽の高度以外に、太陽の方角にも反射鏡１１（図１参照）を追従させることができるので、夜間を除く他の時間において、常時、高い集熱効率を実現することができる。
【００７９】
なお、第１実施形態（図１参照）では、取り合い位置Ｘ１，Ｘ２よりも加熱器２に近い側に位置する熱媒体配管は、回転軸ＡＸの付近にて垂直（鉛直方向）に延びているが、本実施形態では、そのようにする必要はない。
【００８０】
また、上記のように、熱媒体ＭＶ１ｂ，ＭＶ２ａ（第１低圧熱媒体，第２低圧熱媒体）が流れる熱媒体配管の内、蛇腹管Ｔ３でない部分については、その熱媒体ＭＶ１ｂ，ＭＶ２ａの温度に対して耐熱性がある樹脂を用いて形成されたものであってもよい。
【００８１】
［Ｃ］変形例
本実施形態では、上記のように、蛇腹管Ｔ３を用いる場合について説明したが、これに限らない。蛇腹管Ｔ３以外に、フレキシブルな管（可撓性があり柔軟に曲がる管）を用いてもよい。例えば、樹脂や金属繊維の織物を用いて形成されたフレキシブルな管などを利用してもよい。
【００８２】
＜第４実施形態＞
［Ａ］太陽熱集熱システムの全体構成
図４は、第４実施形態に係る太陽熱集熱システムを模式的に示す図である。
【００８３】
図４に示すように、本実施形態の太陽熱集熱システムは、太陽熱集熱システムを構成する部材の一部が、第１実施形態の場合と異なる。本実施形態は、この点、および、これに関連する点を除き、第１実施形態の場合と同様である。このため、本実施形態において、上記の実施形態と重複する個所については、適宜、説明を省略する。
【００８４】
本実施形態の太陽熱集熱システムは、図４に示すように、第１実施形態の場合（図１参照）と同様に、集熱器１と、第１ポンプＰ１と、第２ポンプＰ２と、第１減圧弁Ｖ１と、第２減圧弁Ｖ２とを備えている。第１実施形態では、回転台１０（図１参照）を備えているが、本実施形態では、これに代わって、傾斜台１０ｂを備えている。
【００８５】
本実施形態において、太陽熱集熱システムを構成する各部のうち、集熱器１、第１ポンプＰ１、および、第１減圧弁Ｖ１は、傾斜台１０ｂの上面に据え付けられている。これに対して、第２ポンプＰ２、および、第２減圧弁Ｖ２は、加熱器２と同様に、大地に据え付けられている。
【００８６】
なお、図４では、集熱器１が単数である場合について示しているが、複数である場合が通常である。集熱器１が複数である場合は、熱媒体の流路に沿って複数の集熱器１を直列または並列に連結させる。
【００８７】
［Ｂ］太陽熱集熱システムを流れる流体
本実施形態では、熱媒体ＭＰ１，Ｍ１，ＭＶ１，ＭＰ２，Ｍ２，ＭＶ２、および、被加熱流体Ｆ１，Ｆ２が、第１実施形態の場合と同様に、各部を流れる。
【００８８】
具体的には、太陽熱集熱システムにおいては、第１ポンプＰ１によって昇圧された熱媒体ＭＰ１（第１高圧熱媒体）が、集熱器１に流入し、集熱器１において集熱された太陽熱によって加熱される。集熱器１で加熱された熱媒体Ｍ１は、第１減圧弁Ｖ１に流入し、第１減圧弁Ｖ１において減圧される。
【００８９】
第１減圧弁Ｖ１で圧力が大気圧の近くに低下した熱媒体ＭＶ１（第１低圧熱媒体）は、第２ポンプＰ２に流入し、第２ポンプＰ２において昇圧される。第２ポンプＰ２で圧力が上げられた熱媒体ＭＰ２（第２高圧熱媒体）は、加熱器２に流入する。加熱器２には、熱媒体ＭＰ２（第２高圧熱媒体）の他に、被加熱流体Ｆ１が流入する。そして、加熱器２では、熱媒体ＭＰ２と被加熱流体Ｆ１との熱交換が行なわれる。
【００９０】
加熱器２での熱交換により冷却された熱媒体Ｍ２は、第２減圧弁Ｖ２に流入し、第２減圧弁Ｖ２において減圧される。そして、第２減圧弁Ｖ２で圧力が大気圧の近くに低下した熱媒体ＭＶ２（第２低圧熱媒体）は、第１ポンプＰ１に流入し、上述したように、第１ポンプＰ１において圧力が上げられる。このように熱媒体ＭＰ１，Ｍ１，ＭＶ１，ＭＰ２，Ｍ２，ＭＶ２は、第１ポンプＰ１と、集熱器１と、第１減圧弁Ｖ１と、第２ポンプＰ２と、第２減圧弁Ｖ２とを、順次、流れて、各部を循環する。
【００９１】
この一方で、加熱器２での熱交換により加熱された被加熱流体Ｆ２は、例えば、太陽熱発電システムの蒸気タービン（図示省略）に作動流体として流入する。
【００９２】
なお、上記において、熱媒体ＭＰ１，Ｍ１，ＭＶ１，ＭＰ２，Ｍ２，ＭＶ２としては、第１実施形態の場合と同様に、例えば、大気圧での沸点が３５０℃以上の熱媒油が使用される。また、第１減圧弁Ｖ１によって圧力が低下した熱媒体ＭＶ１は、その低下した圧力における沸点以上の温度になって沸騰することが基本的にはない。熱媒体ＭＶ１の物質によっては、沸騰することもあり得るが、沸騰して気化しても支障はない。
【００９３】
［Ｃ］太陽熱集熱システムの詳細構成など
［Ｃ−１］集熱器１
太陽熱集熱システムにおいて、集熱器１は、第１実施形態と同様に、反射鏡１１と、集熱管１２とを備えている。
【００９４】
集熱器１のうち、反射鏡１１は、パラボリック・トラフ形状の曲面鏡である。しかし、第１実施形態の場合と異なり、反射鏡１１は、長手方向が傾斜台１０ｂの上面に垂直な方向に沿うように設置されている。
【００９５】
集熱器１のうち、集熱管１２は、反射鏡１１の焦点に設置されている。しかし、第１実施形態の場合と異なり、集熱管１２は、長手方向が傾斜台１０ｂの上面に垂直な方向に沿って延在するように設置されている。
【００９６】
集熱器１は、上記の他に、太陽追尾機構（図示省略）を含む。しかし、この太陽追尾機構（図示省略）は、太陽の方角に合わせて反射鏡１１の反射面を太陽に追尾させる。
【００９７】
具体的には、反射鏡１１が焦点を回転軸として回転移動するように支持されており、駆動装置を含む太陽追尾機構（図示省略）が、反射鏡１１を回転方向Ｒ２に回転移動させる。ここでは、反射鏡１１において反射面である放物面の断面である放物線の頂点と焦点とを結んだ放物線軸に対して、太陽光線が長手方向から見た時に平行になるように、反射鏡１１が太陽の方角に応じて回転移動する。
【００９８】
［Ｃ−２］傾斜台１０ｂ
太陽熱集熱システムにおいて、傾斜台１０ｂは、例えば、大地において、傾斜するように設置されている。傾斜台１０ｂは、例えば、矩形形状の板状体であって、上面には、集熱器１、第１ポンプＰ１、および、第１減圧弁Ｖ１が設置されている。
【００９９】
傾斜台１０ｂは、太陽の高度に合わせて、反射鏡１１の反射面が太陽を追尾するように傾斜する。
【０１００】
具体的には、傾斜台１０ｂは、水平方向を回転軸ＡＸｂとして回転移動するように支持されており、駆動装置を含む太陽追尾機構（図示省略）が、傾斜台１０ｂを回転方向Ｒ１に回転移動させることによって、傾斜台１０ｂを大地に対して傾斜させる。ここでは、反射鏡１１において反射面である放物面の断面である放物線の頂点と焦点とを結んだ放物線軸に対して太陽光線が長手方向から見た時に平行になるように、傾斜台１０ｂが太陽の高度に応じて傾斜する。
【０１０１】
上述したように、傾斜台１０ｂには、集熱器１の他に、第１ポンプＰ１と第１減圧弁Ｖ１とが設置されているので、傾斜台１０ｂが傾斜した場合には、集熱器１と共に、第１ポンプＰ１および第１減圧弁Ｖ１が傾斜する。
【０１０２】
［Ｃ−３］熱媒体配管について
太陽熱集熱システムにおいて、熱媒体ＭＰ１，Ｍ１，ＭＶ１，ＭＰ２，Ｍ２，ＭＶ２が流れる熱媒体配管のうち、傾斜台１０ｂに搭載された熱媒体配管と、傾斜台１０ｂに搭載されない他の熱媒体配管との両者は、互いの取り合い位置Ｘ１，Ｘ２が、傾斜台１０ｂの回転軸ＡＸｂの付近にある。ここでは、取り合い位置Ｘ１，Ｘ２は、傾斜台１０ｂにおいて回転軸ＡＸに垂直であって熱媒体配管等が設置された面（側面）上の領域のうち、回転軸ＡＸの側に位置する領域に設けられている。
【０１０３】
具体的には、第１減圧弁Ｖ１で減圧された熱媒体ＭＶ１（第１低圧熱媒体）が第２ポンプＰ２へ流通する熱媒体流路は、複数の熱媒体配管を連結させることで構成されており、その複数の熱媒体配管の取り合い位置Ｘ１が、回転台１０の回転軸ＡＸの付近にある。例えば、第１実施形態の場合と同様に、第１減圧弁Ｖ１から取り合い位置Ｘ１までの間において熱媒体ＭＶ１ａが流れる熱媒体配管と、取り合い位置Ｘ１から第２ポンプＰ２までの間において熱媒体ＭＶ１ｂが流れる熱媒体配管とを含み、前者は、傾斜台１０ｂに支持され、後者は、例えば、大地に支持されている。そして、両者は、傾斜台１０ｂの回転軸ＡＸｂの付近に位置する取り合い位置Ｘ１において連結されている。
【０１０４】
また、第２減圧弁Ｖ２で減圧された熱媒体ＭＶ２（第２低圧熱媒体）が第１ポンプＰ１へ流通する熱媒体流路は、複数の熱媒体配管を連結させることで構成されており、その複数の熱媒体配管の取り合い位置Ｘ２が、回転台１０の回転軸ＡＸの付近にある。例えば、第１実施形態の場合と同様に、第２減圧弁Ｖ２から取り合い位置Ｘ２までの間において熱媒体ＭＶ２ａが流れる熱媒体配管と、取り合い位置Ｘ２から第１ポンプＰ１までの間において熱媒体ＭＶ２ｂが流れる熱媒体配管とを含み、後者は、傾斜台１０ｂに支持され、前者は、例えば、大地に支持されている。そして、両者は、傾斜台１０ｂの回転軸ＡＸｂの付近に位置する取り合い位置Ｘ２において連結されている。
【０１０５】
本実施形態では、第１減圧弁Ｖ１で減圧された熱媒体ＭＶ１（第１低圧熱媒体）が流れる熱媒体配管のうち、取り合い位置Ｘ１よりも加熱器２に近い部分は、傾斜台１０ｂが回転したとき、変形することになる。これと共に、第２減圧弁Ｖ１で減圧された熱媒体ＭＶ２（第２低圧熱媒体）が流れる熱媒体配管のうち、取り合い位置Ｘ１よりも加熱器２に近い部分は、傾斜台１０ｂが回転したとき、変形することになる。つまり、一方の取り合い位置Ｘ１から熱媒体ＭＶ１ｂが第２ポンプＰ２へ流れる部分と、第２減圧弁Ｖ２から熱媒体ＭＶ２ａが他方の取り合い位置Ｘ２へ流れる部分との両者が、傾斜台１０ｂの回転により変形して、破壊されると、漏れが生ずる。しかし、本実施形態では、取り合い位置Ｘ１，Ｘ２が、回転軸ＡＸｂの付近にあるため、その変形量を充分に低減することができる。
【０１０６】
上記の他に、熱媒体ＭＰ１，Ｍ１，ＭＶ１，ＭＰ２，Ｍ２，ＭＶ２が流れる熱媒体配管のうち、上述した取り合い位置Ｘ１，Ｘ２よりも加熱器２に近い側に位置する熱媒体配管は、傾斜台１０ｂの回転軸ＡＸｂの付近において、熱媒体ＭＶ１ｂ，ＭＶ２ａの流れ方向が垂直（鉛直）になるように配置された長尺な配管を含む。
【０１０７】
一方の取り合い位置Ｘ１よりも加熱器２に近い側に位置する熱媒体配管は、第１減圧弁Ｖ１によって大気圧に近くなるように減圧された熱媒体ＭＶ１ｂ（第１低圧熱媒体）が流れる。また、他方の取り合い位置Ｘ２よりも加熱器２に近い側に位置する熱媒体配管は、第２減圧弁Ｖ２によって大気圧に近くなるように減圧された熱媒体ＭＶ２ａ（第２低圧熱媒体）が流れる。このため、これらの部分の熱媒体配管は、内部の圧力と外部の大気圧との差が、他の部分の熱媒体配管よりも小さい。その結果、配管の肉厚を薄くすることができるので、ねじりや曲げを吸収することができる。
【０１０８】
なお、上記では、回転軸ＡＸｂの付近において２本の熱媒体配管が屈曲しており、その屈曲した部分の近傍に、取り合い位置Ｘ１，Ｘ２がある場合について説明したが、図４のように、屈曲部よりも加熱器２に近い部分に取り合い位置Ｘ１，Ｘ２を設けても、そうではなく、屈曲部より遠い側に取り合い位置Ｘ１，Ｘ２を設けてもよい。
【０１０９】
上記の熱媒体配管は、例えば、金属材料で形成されている。ただし、上記の熱媒体配管のうち、第１減圧弁Ｖ１で減圧された熱媒体ＭＶ１（第１低圧熱媒体）が流れる熱媒体配管と、第２減圧弁Ｖ２で減圧された熱媒体ＭＶ２（第２低圧熱媒体）が流れる熱媒体配管とについては、その熱媒体ＭＶ１，ＭＶ２の温度に対して耐熱性がある樹脂を用いて形成してもよい。樹脂を用いる事で、配管のねじりや曲げを充分に受け入れる事ができる。
【０１１０】
［Ｄ］まとめ
以上のように、本実施形態では、第１ポンプＰ１、集熱器１、および、第１減圧弁Ｖ１が傾斜台１０ｂに据え付けられている。ここでは、集熱器１は、反射鏡１１が太陽の方角に対して追尾するように回転駆動する。そして、傾斜台１０ｂは、反射鏡１１が太陽の高度に追従するように回転駆動して傾斜する。本実施形態では、傾斜台１０ｂに集熱器１の全体が設置されているので、集熱器１を構成する反射鏡１１と集熱管１２との両者が、太陽の高度に追従して移動する。このため、傾斜台１０ｂが傾斜したときであっても、集熱管１２に接続される熱媒体配管が大きく変形することを防止することができる。
【０１１１】
また、本実施形態では、熱媒体ＭＰ１，Ｍ１，ＭＶ１，ＭＰ２，Ｍ２，ＭＶ２が流れる熱媒体配管において、傾斜台１０ｂに搭載された熱媒体配管と、傾斜台１０ｂに搭載されない他の熱媒体配管との取り合い位置Ｘ１，Ｘ２は、傾斜台１０ｂの回転軸ＡＸｂの付近にある。このため、本実施形態では、傾斜台１０ｂが傾斜したときであっても、変形量を低減することができるので、破壊を防止し、漏れが発生することを好適に防止することができる。
【０１１２】
したがって、本実施形態では、太陽の高度と太陽の方角との両者に反射鏡１１を追従させることができるので、夜間を除く他の時間において、常時、高い集熱効率を実現することができる。
【０１１３】
さらに、本実施形態において、取り合い位置Ｘ１，Ｘ２よりも加熱器２に近い側に位置する熱媒体配管には、第１実施形態の場合と同様に、第１減圧弁Ｖ１または第２減圧弁Ｖ２で大気圧に近づくように減圧された熱媒体ＭＶ１ｂ，ＭＶ２ａ（第１低圧熱媒体，第２低圧熱媒体）が流れる。このため、上述したように、これらの部分の熱媒体配管の肉厚を薄くしたり樹脂製にすることができるので、ねじりや曲げを吸収することができる。その結果、漏れが生ずることを更に好適に防止することができる。
【０１１４】
なお、本実施形態において、傾斜台１０ｂの駆動は、電動であることが多く、ポンプの個数は、従来技術と比較して増えている。このため、本実施形態の太陽熱集熱システムは、全体の消費電力が、従来技術より増加する。しかし、太陽熱集熱システムで加熱した被加熱流体Ｆ２を、例えば、発電に活用した場合には、集熱効率が高くなることによって増加した発電量の方が、その増加した消費電力量よりも大きくなる。
【０１１５】
［Ｅ］変形例
本実施形態では、上記のように、２つの取り合い位置Ｘ１，Ｘ２が、回転軸ＡＸｂの近傍において、傾斜台１０ｂの側面上に並んでいるが、これに限らない。例えば、２つの取り合い位置Ｘ１，Ｘ２が傾斜台１０ｂの回転軸ＡＸｂを挟んで隣接していてもよい。また、例えば、２つの取り合い位置Ｘ１，Ｘ２のうち、一方の取り合い位置を傾斜台１０ｂの回転軸ＡＸｂ上に設け、他方の取り合い位置をその一方の取り合い位置に隣接するように設けてもよい。
【０１１６】
その他、本実施形態では、第２実施形態の場合と同様に、位置が拘束されていない複数の屈曲部Ｃ１，Ｃ２を備える熱媒体配管（図２参照）を用いてもよい。また、第３実施形態の場合と同様に、蛇腹管Ｔ３（図３参照）やフレキシブルな管（可撓性があり柔軟に曲がる管）を用いてもよい。
【０１１７】
＜その他＞
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１８】
１…集熱器、２…加熱器、１０…回転台、１０ｂ…傾斜台、１１…反射鏡、１２…集熱管、ＡＸ，ＡＸｂ…回転軸、Ｃ１，Ｃ２…屈曲部、Ｆ１，Ｆ２…被加熱流体、Ｌ…太陽光線、Ｍ１，Ｍ１１，Ｍ２，ＭＰ１，ＭＰ２，ＭＶ１，ＭＶ１ａ，ＭＶ１ｂ，ＭＶ２，ＭＶ２ａ，ＭＶ２ｂ…熱媒体、Ｐ１…第１ポンプ、Ｐ１１…熱媒体ポンプ、Ｐ２…第２ポンプ、Ｒ１，Ｒ２…回転方向、Ｔ３…蛇腹管、Ｖ１…第１減圧弁、Ｖ２…第２減圧弁、Ｘ１，Ｘ２…取り合い位置。
【図１】
2015036598.tif 000003
【図２】
2015036598.tif 000004
【図３】
2015036598.tif 000005
【図４】
2015036598.tif 000006
【図５】
2015036598.tif 000007
【図６】
2015036598.tif 000008